(57)【要約】【課題】各店舗での販売及び買取による在庫管理を容易に行い、併せて偽造金券による各店舗での被害を未然に防ぐこと。【解決手段】各店舗Ａ〜Ｃの店舗側端末１４０のＰＯＳ端末１４１により、金券の販売に関する販売情報及び金券の買取に関する買取情報が送信され、管理サーバ１２０では、その販売情報及び買取情報の受け付けが行われ、該受け付けられた販売情報及び買取情報が各店舗の識別情報に対応させて金券データベース１３０に書き込まれ、管理端末１１０からの操作に応じて金券データベース１３０から、販売情報及び買取情報とこれら販売情報及び買取情報から得られる在庫金券情報と偽造金券に関する偽造金券情報とが読み込まれ、少なくとも読み込まれた偽造金券情報が各店舗Ａ〜Ｃの店舗側端末１４０のＰＯＳ端末１４１に通知されるようにした。【選択図】図１
2008003987.tif 000002
【特許請求の範囲】
【請求項１】
金券の売買を管理する金券売買システムであって、
各店舗に設置され、金券の販売情報及び買取情報を通知する店舗側端末と、
該店舗側端末に通信回線を介して接続され、前記販売情報及び買取情報を受け取る管理サーバと、
該管理サーバに接続され、少なくとも前記販売情報及び買取情報とこれら販売情報及び買取情報から得られる在庫金券情報と偽造金券に関する偽造金券情報とが登録されるデータベースとを備え、
前記店舗側端末は、
金券の販売に関する販売情報及び金券の買取に関する買取情報を記憶する記憶手段と、
前記管理サーバへのアクセス情報を基に前記管理サーバへアクセスし、前記記憶手段に記憶されている販売情報及び買取情報を前記管理サーバに送信するアクセス手段とを有し、
前記管理サーバは、
前記アクセス手段からのアクセスを受け付け、金券管理に関わるホームページの提供と、前記販売情報及び買取情報の受け付けとを行う受付手段と、
該受付手段によって受け付けられた販売情報及び買取情報を前記各店舗の識別情報に対応させて前記データベースに書き込む書込手段と、
管理端末からの操作に応じて前記データベースから、前記販売情報及び買取情報とこれら販売情報及び買取情報から得られる在庫金券情報と偽造金券に関する偽造金券情報とを読み込む読込手段と、
少なくとも前記読込手段によって読み込まれた前記偽造金券情報を前記店舗側端末に通知する通知手段とを有している
ことを特徴とする金券売買システム。
【請求項２】
前記管理サーバは、
前記読込手段によって読み込まれた販売情報を、前記各店舗の識別情報に対応させて前記管理端末により前記各店舗毎に閲覧できるように管理する販売情報管理手段と、
前記読込手段によって読み込まれた買取情報を、前記各店舗の識別情報に対応させて前記管理端末により前記各店舗毎に閲覧できるように管理する買取情報管理手段と、
前記読込手段によって読み込まれた在庫金券情報を、前記各店舗の識別情報に対応させて前記管理端末により前記各店舗毎に閲覧できるように管理する在庫金券管理手段と、
前記読込手段によって読み込まれた偽造金券情報を、前記管理端末により閲覧可能にしかつ編集可能にするように管理する偽造金券情報管理手段とを有している
ことを特徴とする請求項１に記載の金券売買システム。
【請求項３】
前記店舗側端末は、金券を陳列する陳列棚の開閉扉の開閉を行う陳列棚用電動キーを所定の操作に応じて施錠又は解錠するように駆動する施錠／解錠駆動手段を有することを特徴とする請求項１又は２に記載の金券売買システム。
【請求項４】
金券の売買を管理する金券売買方法であって、
各店舗に設置され、金券の販売情報及び買取情報を通信回線を介して接続される管理サーバへ通知する店舗側端末は、
金券の販売に関する販売情報及び金券の買取に関する買取情報を記憶するステップと、
前記管理サーバへのアクセス情報を基に前記管理サーバへアクセスし、前記記憶されている販売情報及び買取情報を前記管理サーバに送信するステップとを有し、
前記管理サーバは、
前記店舗側端末からのアクセスを受け付け、金券管理に関わるホームページの提供と、前記販売情報及び買取情報の受け付けとを行うステップと、
該受け付けられた販売情報及び買取情報を前記各店舗の識別情報に対応させてデータベースに書き込むステップと、
管理端末からの操作に応じて前記データベースから、前記販売情報及び買取情報とこれら販売情報及び買取情報から得られる在庫金券情報と偽造金券に関する偽造金券情報とを読み込むステップと、
少なくとも前記読み込まれた前記偽造金券情報を前記店舗側端末に通知するステップとを有している
ことを特徴とする金券売買方法。
【請求項５】
前記管理サーバは、
前記読み込まれた販売情報を、前記各店舗の識別情報に対応させて前記管理端末により前記各店舗毎に閲覧できるように管理するステップと、
前記読み込まれた買取情報を、前記各店舗の識別情報に対応させて前記管理端末により前記各店舗毎に閲覧できるように管理するステップと、
前記読み込まれた在庫金券情報を、前記各店舗の識別情報に対応させて前記管理端末により前記各店舗毎に閲覧できるように管理するステップと、
前記読み込まれた偽造金券情報を、前記管理端末により閲覧可能にしかつ編集可能にするように管理するステップとを有している
ことを特徴とする請求項４に記載の金券売買方法。
【請求項６】
前記店舗側端末は、金券を陳列する陳列棚の開閉扉の開閉を行う陳列棚用電動キーを所定の操作に応じて施錠又は解錠するように駆動するステップを有することを特徴とする請求項４又は５に記載の金券売買方法。
【請求項７】
金券の売買を管理する金券売買方法を実行するための金券売買プログラムであって、
各店舗に設置され、金券の販売情報及び買取情報を通信回線を介して接続される管理サーバへ通知する店舗側端末は、
金券の販売に関する販売情報及び金券の買取に関する買取情報を記憶するステップと、
前記管理サーバへのアクセス情報を基に前記管理サーバへアクセスし、前記記憶されている販売情報及び買取情報を前記管理サーバに送信するステップとを有し、
前記管理サーバは、
前記店舗側端末からのアクセスを受け付け、金券管理に関わるホームページの提供と、前記販売情報及び買取情報の受け付けとを行うステップと、
該受け付けられた販売情報及び買取情報を前記各店舗の識別情報に対応させてデータベースに書き込むステップと、
管理端末からの操作に応じて前記データベースから、前記販売情報及び買取情報とこれら販売情報及び買取情報から得られる在庫金券情報と偽造金券に関する偽造金券情報とを読み込むステップと、
少なくとも前記読み込まれた前記偽造金券情報を前記店舗側端末に通知するステップとを有している
ことを特徴とする金券売買プログラム。
【請求項８】
前記管理サーバは、
前記読み込まれた販売情報を、前記各店舗の識別情報に対応させて前記管理端末により前記各店舗毎に閲覧できるように管理するステップと、
前記読み込まれた買取情報を、前記各店舗の識別情報に対応させて前記管理端末により前記各店舗毎に閲覧できるように管理するステップと、
前記読み込まれた在庫金券情報を、前記各店舗の識別情報に対応させて前記管理端末により前記各店舗毎に閲覧できるように管理するステップと、
前記読み込まれた偽造金券情報を、前記管理端末により閲覧可能にしかつ編集可能にするように管理するステップとを有している
ことを特徴とする請求項７に記載の金券売買プログラム。
【請求項９】
前記店舗側端末は、金券を陳列する陳列棚の開閉扉の開閉を行う陳列棚用電動キーを所定の操作に応じて施錠又は解錠するように駆動するステップを有することを特徴とする請求項７又は８に記載の金券売買プログラム。
【請求項１０】
請求項７〜９のいずれかに記載の金券売買プログラムが記録されていることを特徴とする記録媒体。
【発明の詳細な説明】
【技術分野】
【０００１】
本発明は、各種金券の売買を行う金券売買システム、金券売買方法、金券売買プログラム及び記録媒体に関する。
【背景技術】
【０００２】
従来より、金券ショップでの金券の売買が盛んに行われている。金券ショップで扱われる金券には、図書券、テレホンカード、オレンジカード、イオカード、商品券、ギフトカード、高速券、映画券、新幹線等のように多種多様のものがある。
【０００３】
ところで、これらの金券は用途が特定されているため、特定された用途以外のところでは使用できない。たとえば、書店にて書籍を購入する場合に映画券を利用することはできないし、また、レストランで食事をした場合に図書券を利用することはできない。そのため、金券を所持している者は、特定された用途での使い道がない場合、金券をそのまま所持して眠らせておくか、金券ショップで換金するのが一般的である。
【０００４】
しかしながら、金券ショップが近くにある場合は換金できても、金券ショップが近くにない場合には換金できない。よって、金券ショップが近くにない場合には金券の利用度が低くなってしまうことになる。
【０００５】
ちなみに、特許文献１では、各商店が販売委託する商品の情報を登録し、販売委託を取り消された商品の情報の登録を削除し、消費者に、登録されている商品の情報を閲覧し、希望する商品の購入申込が可能な環境を提供し、商品の購入申込をした消費者が、以前に購入申込したことが無ければ、この商品の購入申込をした消費者の個人情報を取得して登録し、他方、商品の購入申込をした消費者が、以前に購入申込したことが有れば、登録されている消費者の個人情報に基づいて、この商品の購入申込をした消費者の認証を行い、購入申込がなされた商品の情報を、この商品の購入申込をした消費者の個人情報と共に、この商品を販売委託した商店に送るようにした販売代行方法を提案している。
【特許文献１】特開２００４−２５８９５２号公報
【発明の開示】
【発明が解決しようとする課題】
【０００６】
このように、上述した特許文献１に示されている販売代行方法では、金券ショップからの金券の販売委託を受けた各商店が金券を一般消費者に販売することができ、販売委託を受けた商店が増えることで金券の品揃えが極めて豊富になり、消費者が希望する商品を極めて容易に手に入れることが可能になる。
【０００７】
また、各商店からの販売委託、販売委託の取消がネットワークを介してなされ、さらに、消費者が希望する金券の購入申込をすると、その消費者と金券の情報がネットワークを介して、その金券の販売委託を受けた商店に送られるので、金券の売買の運営管理が容易になる。
【０００８】
ところで、このような販売代行方法では、販売委託を受けた商店が増えることで販売窓口が増え、金券の販売が活性化されるものと考えられる。
【０００９】
ところが、このような販売代行サーバでは、データベースに登録されている在庫有りの金券の情報を消費書が確認して購入申込をすることが主であり、特定された用途での使い道がない金券を所持している者は、やはり金券ショップに出向いて換金しなければならない。
【００１０】
この場合、金券ショップから販売委託を受けた商店が特定された用途での使い道がない金券を買い取ることも可能であるが、その買い取った金券の管理方法が備わっていないため、金券ショップが販売委託をした各商店での買い取った金券の在庫管理等を行うことができないという問題があった。
【００１１】
また、金券の売買においては、偽造金券が出回り、その偽造金券が金券ショップに持ち込まれ、金券ショップで偽造金券であると気づかない場合、その偽造金券が販売されてしまうことになる。この場合、上述した販売代行方法では、データベースに在庫有りの金券の情報を登録しておくのみであるため、偽造金券が出回っていることを販売委託をした各商店に速やかに通知することができず、偽造金券の売買を未然に防ぐことができないおそれがあるという問題があった。
【００１２】
本発明は、このような状況に鑑みてなされたものであり、上記問題点を解決することができる金券売買システム、金券売買方法、金券売買プログラム及び記録媒体を提供することを目的とする。
【課題を解決するための手段】
【００１３】
本発明の金券売買システムは、金券の売買を管理する金券売買システムであって、各店舗に設置され、金券の販売情報及び買取情報を通知する店舗側端末と、該店舗側端末に通信回線を介して接続され、前記販売情報及び買取情報を受け取る管理サーバと、該管理サーバに接続され、少なくとも前記販売情報及び買取情報とこれら販売情報及び買取情報から得られる在庫金券情報と偽造金券に関する偽造金券情報とが登録されるデータベースとを備え、前記店舗側端末は、金券の販売に関する販売情報及び金券の買取に関する買取情報を記憶する記憶手段と、前記管理サーバへのアクセス情報を基に前記管理サーバへアクセスし、前記記憶手段に記憶されている販売情報及び買取情報を前記管理サーバに送信するアクセス手段とを有し、前記管理サーバは、前記アクセス手段からのアクセスを受け付け、金券管理に関わるホームページの提供と、前記販売情報及び買取情報の受け付けとを行う受付手段と、該受付手段によって受け付けられた販売情報及び買取情報を前記各店舗の識別情報に対応させて前記データベースに書き込む書込手段と、管理端末からの操作に応じて前記データベースから、前記販売情報及び買取情報とこれら販売情報及び買取情報から得られる在庫金券情報と偽造金券に関する偽造金券情報とを読み込む読込手段と、少なくとも前記読込手段によって読み込まれた前記偽造金券情報を前記店舗側端末に通知する通知手段とを有していることを特徴とする。
また、前記管理サーバは、前記読込手段によって読み込まれた販売情報を、前記各店舗の識別情報に対応させて前記管理端末により前記各店舗毎に閲覧できるように管理する販売情報管理手段と、前記読込手段によって読み込まれた買取情報を、前記各店舗の識別情報に対応させて前記管理端末により前記各店舗毎に閲覧できるように管理する買取情報管理手段と、前記読込手段によって読み込まれた在庫金券情報を、前記各店舗の識別情報に対応させて前記管理端末により前記各店舗毎に閲覧できるように管理する在庫金券管理手段と、前記読込手段によって読み込まれた偽造金券情報を、前記管理端末により閲覧可能にしかつ編集可能にするように管理する偽造金券情報管理手段とを有しているようにすることができる。
また、前記店舗側端末は、金券を陳列する陳列棚の開閉扉の開閉を行う陳列棚用電動キーを所定の操作に応じて施錠又は解錠するように駆動する施錠／解錠駆動手段を有するようにすることができる。
本発明の金券売買方法は、金券の売買を管理する金券売買方法であって、各店舗に設置され、金券の販売情報及び買取情報を通信回線を介して接続される管理サーバへ通知する店舗側端末は、金券の販売に関する販売情報及び金券の買取に関する買取情報を記憶するステップと、前記管理サーバへのアクセス情報を基に前記管理サーバへアクセスし、前記記憶されている販売情報及び買取情報を前記管理サーバに送信するステップとを有し、前記管理サーバは、前記店舗側端末からのアクセスを受け付け、金券管理に関わるホームページの提供と、前記販売情報及び買取情報の受け付けとを行うステップと、該受け付けられた販売情報及び買取情報を前記各店舗の識別情報に対応させてデータベースに書き込むステップと、管理端末からの操作に応じて前記データベースから、前記販売情報及び買取情報とこれら販売情報及び買取情報から得られる在庫金券情報と偽造金券に関する偽造金券情報とを読み込むステップと、少なくとも前記読み込まれた前記偽造金券情報を前記店舗側端末に通知するステップとを有していることを特徴とする。
また、前記管理サーバは、前記読み込まれた販売情報を、前記各店舗の識別情報に対応させて前記管理端末により前記各店舗毎に閲覧できるように管理するステップと、前記読み込まれた買取情報を、前記各店舗の識別情報に対応させて前記管理端末により前記各店舗毎に閲覧できるように管理するステップと、前記読み込まれた在庫金券情報を、前記各店舗の識別情報に対応させて前記管理端末により前記各店舗毎に閲覧できるように管理するステップと、前記読み込まれた偽造金券情報を、前記管理端末により閲覧可能にしかつ編集可能にするように管理するステップとを有しているようにすることができる。
また、前記店舗側端末は、金券を陳列する陳列棚の開閉扉の開閉を行う陳列棚用電動キーを所定の操作に応じて施錠又は解錠するように駆動するステップを有するようにすることができる。
本発明の金券売買プログラムは、金券の売買を管理する金券売買方法を実行するための金券売買プログラムであって、各店舗に設置され、金券の販売情報及び買取情報を通信回線を介して接続される管理サーバへ通知する店舗側端末は、金券の販売に関する販売情報及び金券の買取に関する買取情報を記憶するステップと、前記管理サーバへのアクセス情報を基に前記管理サーバへアクセスし、前記記憶されている販売情報及び買取情報を前記管理サーバに送信するステップとを有し、前記管理サーバは、前記店舗側端末からのアクセスを受け付け、金券管理に関わるホームページの提供と、前記販売情報及び買取情報の受け付けとを行うステップと、該受け付けられた販売情報及び買取情報を前記各店舗の識別情報に対応させてデータベースに書き込むステップと、管理端末からの操作に応じて前記データベースから、前記販売情報及び買取情報とこれら販売情報及び買取情報から得られる在庫金券情報と偽造金券に関する偽造金券情報とを読み込むステップと、少なくとも前記読み込まれた前記偽造金券情報を前記店舗側端末に通知するステップとを有していることを特徴とする。
また、前記管理サーバは、前記読み込まれた販売情報を、前記各店舗の識別情報に対応させて前記管理端末により前記各店舗毎に閲覧できるように管理するステップと、前記読み込まれた買取情報を、前記各店舗の識別情報に対応させて前記管理端末により前記各店舗毎に閲覧できるように管理するステップと、前記読み込まれた在庫金券情報を、前記各店舗の識別情報に対応させて前記管理端末により前記各店舗毎に閲覧できるように管理するステップと、前記読み込まれた偽造金券情報を、前記管理端末により閲覧可能にしかつ編集可能にするように管理するステップとを有しているようにすることができる。
また、前記店舗側端末は、金券を陳列する陳列棚の開閉扉の開閉を行う陳列棚用電動キーを所定の操作に応じて施錠又は解錠するように駆動するステップを有するようにすることができる。
本発明の記録媒体は、請求項７〜９のいずれかに記載の金券売買プログラムが記録されていることを特徴とする。
本発明の金券売買システム、金券売買方法、金券売買プログラム及び記録媒体では、各店舗に設置される店舗側端末により、金券の販売に関する販売情報及び金券の買取に関する買取情報が記憶され、管理サーバへのアクセス情報を基に管理サーバへのアクセスが行われ、記憶されている販売情報及び買取情報が管理サーバに送信される。
一方、管理サーバでは、店舗側端末からのアクセスを受け付け、金券管理に関わるホームページの提供と、販売情報及び買取情報の受け付けとが行われ、該受け付けられた販売情報及び買取情報が各店舗の識別情報に対応させてデータベースに書き込まれ、管理端末からの操作に応じてデータベースから、販売情報及び買取情報とこれら販売情報及び買取情報から得られる在庫金券情報と偽造金券に関する偽造金券情報とが読み込まれ、少なくとも読み込まれた偽造金券情報が店舗側端末に通知される。
【発明の効果】
【００１４】
本発明の金券売買システム、金券売買方法、金券売買プログラム及び記録媒体によれば、各店舗に設置される店舗側端末により、金券の販売に関する販売情報及び金券の買取に関する買取情報が送信され、管理サーバでは、その販売情報及び買取情報の受け付けが行われ、該受け付けられた販売情報及び買取情報が各店舗の識別情報に対応させてデータベースに書き込まれ、管理端末からの操作に応じてデータベースから、販売情報及び買取情報とこれら販売情報及び買取情報から得られる在庫金券情報と偽造金券に関する偽造金券情報とが読み込まれ、少なくとも読み込まれた偽造金券情報が店舗側端末に通知されるようにしたので、各店舗での販売及び買取による在庫管理を容易に行うことができ、併せて管理サーバから各店舗の店舗側端末に偽造金券に関する情報が通知されることで、偽造金券に関する情報の共有化が図れ、各店舗では一斉にその偽造金券の売買を停止でき、偽造金券による各店舗での被害を未然に防ぐことができる。
【発明を実施するための最良の形態】
【００１５】
本実施形態では、各店舗に設置される店舗側端末により、金券の販売に関する販売情報及び金券の買取に関する買取情報が送信され、管理サーバでは、その販売情報及び買取情報の受け付けが行われ、該受け付けられた販売情報及び買取情報が各店舗の識別情報に対応させてデータベースに書き込まれ、管理端末からの操作に応じてデータベースから、販売情報及び買取情報とこれら販売情報及び買取情報から得られる在庫金券情報と偽造金券に関する偽造金券情報とが読み込まれ、少なくとも読み込まれた偽造金券情報が店舗側端末に通知されるようにし、各店舗での販売及び買取による在庫管理を容易に行うことができ、併せて管理サーバから各店舗の店舗側端末に偽造金券に関する情報が通知されることで、偽造金券に関する情報の共有化が図れ、各店舗では一斉にその偽造金券の売買を停止でき、偽造金券による各店舗での被害を未然に防ぐことができるようにした。
【実施例】
【００１６】
以下、本発明の実施例の詳細について説明する。
【００１７】
図１は、本発明の金券売買システムの一実施例を説明するための図である。同図に示すように、金券売買システムは、金券売買管理側装置１００と店舗側端末１４０とを備えている。また、金券売買管理側装置１００と店舗側端末１４０とは、通信回線であるインターネット１６０を介して接続されている。
【００１８】
金券売買管理側装置１００は、管理端末１１０、管理サーバ１２０、金券データベース１３０を有している。
【００１９】
管理端末１１０は、管理サーバ１２０から各店舗Ａ〜Ｃ毎の販売情報や買取情報等を取得して閲覧したり、各店舗Ａ〜Ｃの店舗側端末１４０のＰＯＳ端末１４１にホームページを通じて偽造金券に関する情報を通知したりする際に操作されるものである。管理端末１１０としては、ノートパソコンやディスクトップパソコン等を用いることができる。
【００２０】
管理サーバ１２０は、各店舗Ａ〜Ｃの店舗側端末１４０のＰＯＳ端末１４１からのアクセスを受け付け、金券管理に関わるホームページをそれぞれのＰＯＳ端末１４１に提供するとともに、そのホームページを通じて偽造金券に関する情報を通知したりする。
【００２１】
データベースとしての金券データベース１３０には、後述の販売情報、買取情報、在庫金券情報、偽造金券情報等が登録される。
【００２２】
店舗側端末１４０は、たとえばショッピングセンター等の店舗Ａ〜Ｃに設置されるものであり、少なくとも表示部１４２と読取装置１４３とを有するＰＯＳ端末１４１を備えている。なお、  店舗側端末１４０は、人が多く集まる場所に設置されればよく、たとえば駅構内、遊園地、動物園等に設置されていてもよい。
【００２３】
ＰＯＳ端末１４１は、入庫、出庫、会員販売管理、会員ポイント加算、売り掛け管理等を行うとともに、ホームページブラウザを内蔵している。また、ＰＯＳ端末１４１は、金券売買管理側装置１００側の管理サーバ１２０に常時接続されており、金券管理に関わるホームページを通じて金券売買管理側装置１００側からのお知らせや掲示板を表示部１４２に表示させるとともに、金券売買管理側装置１００側の金券データベース１３０の検索まで行えるようになっている。
【００２４】
また、ＰＯＳ端末１４１は、図示しない金券の販売情報や買取情報を集計し、その集計した販売情報や買取情報を保持するとともに、金券売買管理側装置１００側の管理サーバ１２０に送信する。
【００２５】
表示部１４２は、金券売買管理側装置１００側からのお知らせや掲示板等を表示する。読取装置１４３は、図示しない金券に貼着されているバーコード等のコード情報を読み取る。なお、図中符号１５０は、図示しない金券を陳列する陳列棚を示している。この陳列棚１５０には、図示しない開閉扉が設けられており、その開閉扉は後述の陳列棚用電動キー１５１によって開閉が制御されるようになっている。
【００２６】
図２は、管理サーバ１２０の内部構成を説明するための図である。同図に示すように、管理サーバ１２０は、インタフェース部１２１、受付部１２２、通知部１２３、データ書込部１２４、データ読込部１２５、制御部１２６を備えている。
【００２７】
インタフェース部１２１は、インターネット１６０を介して店舗側端末１４０のＰＯＳ端末１４１との間でのデータの転送を受け持つ。受付手段としての受付部１２２は、ＰＯＳ端末１４１からのアクセスを受け付け、金券管理に関わるホームページをＰＯＳ端末１４１に提供する。また、受付部１２２は、ＰＯＳ端末１４１からのアクセスを受け付け、図示しない金券の販売情報や買取情報を受け付ける。
【００２８】
通知手段としての通知部１２３は、たとえば後述の在庫金券管理部１２７ｃによって管理されている在庫金券の情報や後述の偽造金券情報管理部１２７ｄによって管理されている偽造金券情報を金券管理に関わるホームページを通じて通知する。
【００２９】
書込手段としてのデータ書込部１２４は、管理端末１１０によって入力される、たとえば偽造金券情報等を金券データベース１３０に書き込む。また、データ書込部１２４は、受付部１２２によって受け付けられたＰＯＳ端末１４１からの図示しない金券の販売情報や買取情報を金券データベース１３０に書き込む。なお、その販売情報や買取情報は、店舗側端末１４０が設置されている各店舗Ａ〜Ｃを識別するための識別情報に対応させて書き込まれるようになっている。このように、販売情報や買取情報を各店舗Ａ〜Ｃの識別情報に対応させて書き込むことで、各店舗Ａ〜Ｃ毎の販売管理や買取管理が容易となる。
【００３０】
読込手段としてのデータ読込部１２５は、管理端末１１０の操作に応じ、金券データベース１３０から販売情報、買取情報、在庫金券情報、偽造金券情報等を読み込む。
【００３１】
制御部１２６は、管理端末１１０の操作に応じ、所定の制御プログラムに従って各部の動作を制御する。また、制御部１２６は、所定の制御プログラムを読み込むことで、金券管理部１２７を実現する。
【００３２】
ここで、金券管理部１２７は、販売情報管理部１２７ａ、買取情報管理部１２７ｂ、在庫金券管理部１２７ｃ、偽造金券情報管理部１２７ｄを有している。
【００３３】
販売情報管理手段としての販売情報管理部１２７ａは、データ読込部１２５によって金券データベース１３０から読み込まれた販売情報を、各店舗Ａ〜Ｃを識別するための識別情報に対応させて管理端末１１０により各店舗Ａ〜Ｃ毎に閲覧できるように管理する。
【００３４】
買取情報管理手段としての買取情報管理部１２７ｂは、データ読込部１２５によって金券データベース１３０から読み込まれた買取情報を、各店舗Ａ〜Ｃを識別するための識別情報に対応させて管理端末１１０により各店舗Ａ〜Ｃ毎に閲覧できるように管理する。
【００３５】
在庫金券管理手段としての在庫金券管理部１２７ｃは、データ読込部１２５によって金券データベース１３０から読み込まれた各店舗Ａ〜Ｃ毎の販売情報や買取情報から得られる在庫金券情報を、管理端末１１０により各店舗Ａ〜Ｃ毎に閲覧できるように管理する。このように、各店舗Ａ〜Ｃ毎の在庫金券情報が管理端末１１０によって閲覧できるようにすることで、各店舗Ａ〜Ｃ毎の在庫金券の棚卸しを正確かつ容易に行うことができる。
【００３６】
偽造金券情報管理手段としての偽造金券情報管理部１２７ｄは、データ読込部１２５によって金券データベース１３０から読み込まれた偽造金券情報を管理端末１１０により閲覧可能にしかつ編集可能にするように管理する。この偽造金券情報は、各店舗Ａ〜Ｃの店舗側端末１４０のＰＯＳ端末１４１にホームページを通じて偽造金券に関する内容を通知するための情報である。すなわち、その偽造金券情報には、たとえば偽造金券に関する必要最小限の基本内容が含まれている。ここで、その基本内容としては、たとえば偽造金券が出回っていること等を意味するものである。
【００３７】
そして、管理端末１１０の操作によって、その偽造金券情報に、たとえば偽造金券の種類や偽造金券の発見日等の情報を追加することができ、その後、制御部１２６によって制御される通知部１２３により、各店舗側端末１４０のＰＯＳ端末１４１にホームページを通じて通知することが可能となる。このような偽造金券に関する情報が各店舗側端末１４０のＰＯＳ端末１４１に通知されることで、偽造金券に関する情報の共有化が図れ、各店舗Ａ〜Ｃでは一斉にその偽造金券の売買を停止でき、偽造金券による各店舗Ａ〜Ｃでの被害を未然に防ぐことが可能となる。
【００３８】
図３は、各店舗側端末１４０のＰＯＳ端末１４１の内部構成を説明するための図である。同図に示すように、ＰＯＳ端末１４１は、読取駆動部１４１ａ、情報処理部１４１ｂ、アクセス部１４１ｃ、ＲＯＭ１４１ｄ、ＲＡＭ１４１ｅ、スピーカ駆動部１４１ｆ、表示駆動部１４１ｇ、施錠／解錠駆動部１４１ｈ、ＣＰＵ１４１ｉを有している。また、これらの各部位は、バス１４１ｊに接続されている。
【００３９】
読取駆動部１４１ａは、読取装置１４３に対しバーコード等のコード情報を読み取らせるように駆動させる。情報処理部１４１ｂは、読取装置１４３によって読み取られたコード情報を処理し、表示部１４２の表示信号とする。また、情報処理部１４１ｂは、アクセス部１４１ｃによる金券売買管理側装置１００の管理サーバ１２０へのアクセスにより得られるホームページ等のデータを処理し、表示部１４２の表示信号とする。
【００４０】
アクセス手段としてのアクセス部１４１ｃは、ＲＯＭ１４１ｄ又はＲＡＭ１４１ｅに記憶されているアクセス情報を基に、金券売買管理側装置１００の管理サーバ１２０へのアクセスを行う。なお、このアクセス部１４１ｃは、店舗側端末１４０の電源が投入されると同時にＣＰＵ１４１ｉによる制御によって自動的にアクセスを実行するようにしてもよい。また、アクセス部１４１ｃは、ＣＰＵ１４１ｉによる制御によってＲＡＭ１４１ｅに記憶される販売情報及び買取情報を金券売買管理側装置１００の管理サーバ１２０へ送信する。
【００４１】
ＲＯＭ１４１ｄには、少なくともＣＰＵ１４１ｉによる制御に必要な制御プログラムが格納されている。また、ＲＯＭ１４１ｄには、金券売買管理側装置１００の管理サーバ１２０へのアクセス情報が格納されていてもよい。
【００４２】
記憶手段としてのＲＡＭ１４１ｅには、読取装置１４３によって読み取られたコード情報やＰＯＳ端末１４１から入力されたコード情報等が記憶される。ここで、販売対象となる金券のコード情報は販売情報としてＲＡＭ１４１ｅに記憶される。一方、買取対象となる金券のコード情報は買取情報としてＲＡＭ１４１ｅに記憶される。販売情報と買取情報との区別は、たとえば表示部１４２に販売であるか買取であるかを選択させる画面を表示させ、ＲＡＭ１４１ｅに記憶させる際に、その画面の内容を選択しておけばよい。また、ＲＡＭ１４１ｅには、金券売買管理側装置１００の管理サーバ１２０へのアクセス情報が格納されていてもよい。
【００４３】
スピーカ駆動部１４１ｆは、ＣＰＵ１４１ｉによる制御により、たとえば読取装置１４３による読み取りが正常に行われた場合の確認音等をスピーカ１４４から出力させる。また、スピーカ駆動部１４１ｆは、ＣＰＵ１４１ｉによる制御により、たとえば読取装置１４３による読み取りが正常に行われなかった場合のエラー音等をスピーカ１４４から出力させる。なお、このスピーカ１４４は、ＰＯＳ端末１４１又は表示部１４２のいずれかに設けられているものとする。
【００４４】
表示駆動部１４１ｇは、情報処理部１４１ｂによって処理されたコード情報の表示信号又はホームページ等の表示信号を基に、表示部１４２への表示を行う。施錠／解錠駆動手段としての施錠／解錠駆動部１４１ｈは、ＰＯＳ端末１４１の操作に応じて、上述した陳列棚１５０の図示しない開閉扉の開閉を行う陳列棚用電動キー１５１を駆動する。
【００４５】
なお、ＰＯＳ端末１４１の操作に応じて、施錠／解錠駆動部１４１ｈにより陳列棚用電動キー１５１を駆動させる際には、ＰＯＳ端末１４１から所定のキーコードが入力された場合とすることができる。このように、ＰＯＳ端末１４１から所定のキーコードが入力されて陳列棚１５０の図示しない開閉扉の開閉が行われるようにすることで、防犯効果を高めることができる。
【００４６】
ＣＰＵ１４１ｉは、ＲＯＭ１４１ｄに格納されている制御プログラムに基づいて各部の動作を制御する。ＣＰＵ１４１ｉによる主な制御としては、読取駆動部１４１ａを制御し、コード情報の読み取りと、その読み取ったコード情報の受け取りとを行わせることである。
【００４７】
また、ＣＰＵ１４１ｉによる主な制御としては、情報処理部１４１ｂに対し、読取装置１４３によって読み取られたコード情報の処理と、アクセス部１４１ｃによる金券売買管理側装置１００の管理サーバ１２０へのアクセスにより得られるホームページ等のデータの処理を行わせることである。
【００４８】
また、ＣＰＵ１４１ｉによる主な制御としては、アクセス部１４１ｃに対し、ＲＯＭ１４１ｄ又はＲＡＭ１４１ｅに記憶されているアクセス情報を基に、金券売買管理側装置１００の管理サーバ１２０へのアクセスを行わせることである。
【００４９】
また、ＣＰＵ１４１ｉによる主な制御としては、ＲＡＭ１４１ｅに記憶されている販売情報及び買取情報を、ＰＯＳ端末１４１の所定の操作に応じて金券売買管理側装置１００の管理サーバ１２０へ送信することである。
【００５０】
また、ＣＰＵ１４１ｉによる主な制御としては、スピーカ駆動部１４１ｆに対するスピーカ１４４からの確認音やエラー音等の出力や、表示駆動部１４１ｇに対する表示部１４２への表示を行わせることである。
【００５１】
また、ＣＰＵ１４１ｉによる主な制御としては、施錠／解錠駆動部１４１ｈに対し、ＰＯＳ端末１４１の操作に応じて、上述した陳列棚１５０の図示しない開閉扉の開閉を行う陳列棚用電動キー１５１の駆動を行わせることである。
【００５２】
次に、金券売買システムによる金券売買方法について説明する。まず、図４に示すように、各店舗Ａ〜Ｃの店舗側端末１４０のＰＯＳ端末１４１のアクセス部１４１ｃにより、ＲＯＭ１４１ｄ又はＲＡＭ１４１ｅに記憶されているアクセス情報を基に、金券売買管理側装置１００の管理サーバ１２０にインターネット１６０を介してアクセスがあると（ステップＳ１）、金券管理に関わるホームページが管理サーバ１２０からアクセスのあったそれぞれのＰＯＳ端末１４１に提供される（ステップＳ２）。
【００５３】
すなわち、金券売買管理側装置１００の管理サーバ１２０では、受付部１２２により、インターネット１６０及びインタフェース部１２１を介して店舗側端末１４０のＰＯＳ端末１４１からのアクセスが受け付けられると、金券管理に関わるホームページがＰＯＳ端末１４１に提供される。
【００５４】
なお、店舗側端末１４０のＰＯＳ端末１４１のアクセス部１４１ｃによる金券売買管理側装置１００の管理サーバ１２０へのアクセスは、上述したように、店舗側端末１４０の電源が投入されると同時にＣＰＵ１４１ｉによる制御によって自動的に実行されるものとする。これにより、金券売買管理側装置１００の管理サーバ１２０へアクセスするための店舗側端末１４０のＰＯＳ端末１４１の操作が不要となるばかりか、その管理サーバ１２０へのアクセスのし忘れ等も防げる。
【００５５】
このとき、情報処理部１４１ｂにより、管理サーバ１２０から得られるホームページのデータが表示部１４２の表示信号となるように処理され、その表示信号に基づき表示部１４２に金券管理に関わるホームページが表示される。
【００５６】
ここで、各店舗Ａ〜Ｃにおいて金券の販売が行われるとき、ＰＯＳ端末１４１の操作に応じて、施錠／解錠駆動部１４１ｈにより陳列棚用電動キー１５１が駆動され、陳列棚１５０の図示しない開閉扉のロックが解除される。これにより、販売対象となる金券を陳列棚１５０から取り出すことができる。
【００５７】
そして、販売対象となる金券にバーコード等が貼着されている場合には、読取装置１４３によってそのバーコード等のコード情報を読み取る（ステップＳ３）。このとき、読取駆動部１４１ａにより読取装置１４３が駆動され、バーコード等のコード情報が読み取られる。
【００５８】
また、このとき、読取装置１４３による読み取りが正常に行われた場合、スピーカ駆動部１４１ｆによる駆動により、スピーカ１４４から確認音等が出力される。これに対し、読取装置１４３による読み取りが正常に行われた場合、スピーカ駆動部１４１ｆによる駆動により、スピーカ１４４からエラー音等が出力される。
【００５９】
読取装置１４３によって読み取られたコード情報は、情報処理部１４１ｂによって表示部１４２の表示信号となるように処理され、その表示信号に基づき表示部１４２に販売対象となる金券の情報が表示される。なお、販売対象となる金券にバーコード等が貼着されていない場合には、ＰＯＳ端末１４１から販売対象となる金券のコード情報等を入力すると、上記同様に、そのコード情報等が情報処理部１４１ｂによって表示部１４２の表示信号となるように処理され、その表示信号に基づき表示部１４２に販売対象となる金券の情報が表示される。
【００６０】
また、金券を販売する際は、上述したように、たとえば表示部１４２に販売であるか買取であるかを選択させる画面を表示させ、その販売を選択することで、読取装置１４３によって読み取られたコード情報又はＰＯＳ端末１４１によって入力されたコード情報が販売情報としてＲＡＭ１４１ｅに記憶される（ステップＳ４）。
【００６１】
一方、各店舗Ａ〜Ｃにて金券の買い取りが行われる際は、上記同様に、表示部１４２に表示される販売であるか買取であるかを選択させる画面から買取を選択し、さらにＰＯＳ端末１４１によりその買取対象の金券のコード情報を入力すると（ステップＳ５）、その入力されたコード情報が買取情報としてＲＡＭ１４１ｅに記憶される（ステップＳ６）。
【００６２】
一方、金券売買管理側装置１００の管理サーバ１２０では、受付部１２２により、店舗側端末１４０のＰＯＳ端末１４１からの販売情報や買取情報が受け付けられると（ステップＳ７）、データ書込部１２４によりその販売情報や買取情報が金券データベース１３０に書き込まれる（ステップＳ８）。その際、その販売情報や買取情報は、各店舗Ａ〜Ｃの識別情報に対応させて書き込まれる。これにより、各店舗Ａ〜Ｃ毎の販売管理や買取管理が容易に行える。
【００６３】
すなわち、管理端末１１０によって各店舗Ａ〜Ｃの販売情報を閲覧するとき（ステップＳ９）、管理端末１１０によって所定の操作を行うと、データ読込部１２５により金券データベース１３０から販売情報が読み込まれる。次いで、制御部１２６によって実現される金券管理部１２７の販売情報管理部１２７ａにより、データ読込部１２５によって金券データベース１３０から読み込まれた販売情報が各店舗Ａ〜Ｃを識別するための識別情報に対応させて管理端末１１０により各店舗Ａ〜Ｃ毎に閲覧できるように管理され、その管理された各店舗Ａ〜Ｃ毎の販売情報が管理端末１１０に与えられる。
【００６４】
また、管理端末１１０によって各店舗Ａ〜Ｃの買取情報を閲覧するとき（ステップＳ１０）、管理端末１１０によって所定の操作を行うと、データ読込部１２５により金券データベース１３０から買取情報が読み込まれる。次いで、制御部１２６によって実現される金券管理部１２７の買取情報管理部１２７ｂにより、データ読込部１２５によって金券データベース１３０から読み込まれた買取情報が各店舗Ａ〜Ｃを識別するための識別情報に対応させて管理端末１１０により各店舗Ａ〜Ｃ毎に閲覧できるように管理され、その管理された各店舗Ａ〜Ｃ毎の買取情報が管理端末１１０に与えられる。
【００６５】
また、管理端末１１０によって各店舗Ａ〜Ｃの在庫金券情報を閲覧するとき（ステップＳ１１）、管理端末１１０によって所定の操作を行うと、データ読込部１２５により金券データベース１３０から在庫金券情報が読み込まれる。次いで、制御部１２６によって実現される金券管理部１２７の在庫金券管理部１２７ｃにより、データ読込部１２５によって金券データベース１３０から読み込まれた各店舗Ａ〜Ｃ毎の販売情報や買取情報から得られる在庫金券情報が管理端末１１０により各店舗Ａ〜Ｃ毎に閲覧できるように管理され、その管理された各店舗Ａ〜Ｃ毎の在庫金券情報が管理端末１１０に与えられる。
【００６６】
なお、ここでは、管理端末１１０によって各店舗Ａ〜Ｃの販売情報、買取情報及び在庫金券情報を個別に閲覧する場合としているが、これに限らず、各店舗Ａ〜Ｃの販売情報、買取情報及び在庫金券情報を一度に閲覧することも可能である。この場合、管理端末１１０の画面に販売、買取、在庫のいずれか又は全てを選択できる内容を表示させ、そのいずれか又は全ての選択に応じて制御部１２６による制御が行われるようにすればよい。
【００６７】
また、各店舗Ａ〜Ｃの店舗側端末１４０のＰＯＳ端末１４１に偽造金券に関する情報を通知する場合（ステップＳ１２）、管理端末１１０によって偽造金券の通知に関わる所定の操作を行うと、データ読込部１２５により金券データベース１３０から偽造金券情報が読み込まれる。次いで、制御部１２６によって実現される偽造金券情報管理部１２７ｄによりその偽造金券情報が管理端末１１０によって閲覧可能にかつ編集可能に管理され、その管理された偽造金券情報が管理端末１１０に与えられる。
【００６８】
偽造金券情報には、上述したように、たとえば偽造金券が出回っていること等を意味する基本内容が含まれており、管理端末１１０では、その偽造金券情報に、たとえば偽造金券の種類や偽造金券の発見日等の情報を追加することができる。その後、管理端末１１０により通知に関わる操作が行われると、制御部１２６によって制御される通知部１２３により、各店舗側端末１４０のＰＯＳ端末１４１にホームページを通じて偽造金券に関する情報が通知される。
【００６９】
このような偽造金券に関する情報が各店舗側端末１４０のＰＯＳ端末１４１に通知されることで、偽造金券に関する情報の共有化が図れるため、各店舗Ａ〜Ｃでは一斉にその偽造金券の売買を停止することができる。
【００７０】
このように、本実施例では、各店舗Ａ〜Ｃの店舗側端末１４０のＰＯＳ端末１４１により、金券の販売に関する販売情報及び金券の買取に関する買取情報が送信され、管理サーバ１２０では、その販売情報及び買取情報の受け付けが行われ、該受け付けられた販売情報及び買取情報が各店舗の識別情報に対応させて金券データベース１３０に書き込まれ、管理端末１１０からの操作に応じて金券データベース１３０から、販売情報及び買取情報とこれら販売情報及び買取情報から得られる在庫金券情報と偽造金券に関する偽造金券情報とが読み込まれ、少なくとも読み込まれた偽造金券情報が各店舗Ａ〜Ｃの店舗側端末１４０のＰＯＳ端末１４１に通知されるようにした。
【００７１】
これにより、各店舗Ａ〜Ｃでの販売及び買取による在庫管理を容易に行うことができ、併せて管理サーバ１２０から各店舗Ａ〜Ｃの店舗側端末１４０のＰＯＳ端末１４１に偽造金券に関する情報が通知されることで、偽造金券に関する情報の共有化が図れ、各店舗Ａ〜Ｃでは一斉にその偽造金券の売買を停止でき、偽造金券による各店舗での被害を未然に防ぐことができる。
【００７２】
また、このように、管理サーバ１２０によって各店舗Ａ〜Ｃでの販売及び買取による在庫管理が容易に行われ、併せて偽造金券に関する情報の共有化が図れるため、店舗側端末１４０の設置場所の制約が緩和されることから、金券の売買を行う店舗数の増大を容易に見込むことができる。
【００７３】
また、本実施例では、管理サーバ１２０に、データ読込部１２５によって読み込まれた販売情報を、各店舗Ａ〜Ｃの識別情報に対応させて管理端末１１０により各店舗Ａ〜Ｃ毎に閲覧できるように管理する販売情報管理部１２７ａと、データ読込部１２５によって読み込まれた買取情報を、各店舗Ａ〜Ｃの識別情報に対応させて管理端末１１０により各店舗Ａ〜Ｃ毎に閲覧できるように管理する買取情報管理部１２７ｂと、データ読込部１２５によって読み込まれた在庫金券情報を、各店舗Ａ〜Ｃの識別情報に対応させて管理端末１１０により各店舗Ａ〜Ｃ毎に閲覧できるように管理する在庫金券管理部１２７ｃと、データ読込部１２５によって読み込まれた偽造金券情報を、管理端末１１０により閲覧可能にしかつ編集可能にするように管理する偽造金券情報管理部１２７ｄとを設けているので、管理端末１１０により、各店舗Ａ〜Ｃ毎の販売情報、買取情報、在庫金券情報を容易に確認することができ、併せて偽造金券情報の編集を容易に行うことができる。
【００７４】
また、本実施例では、ＰＯＳ端末１４１に金券を陳列する陳列棚１５０の図示しない開閉扉の開閉を行う陳列棚用電動キー１５１を所定の操作に応じて施錠又は解錠するように駆動する施錠／解錠駆動部１４１ｈを設けるようにした。この場合、ＰＯＳ端末１４１の操作に応じて、施錠／解錠駆動部１４１ｈにより陳列棚用電動キー１５１を駆動させる際には、ＰＯＳ端末１４１から所定のキーコードが入力された場合とすることができ、ＰＯＳ端末１４１から所定のキーコードが入力されて陳列棚１５０の図示しない開閉扉の開閉が行われることから、防犯効果を高めることができる。
【図面の簡単な説明】
【００７５】
【図１】本発明の金券売買システムの一実施例を説明するための図である。
【図２】図１の管理サーバの内部構成を説明するためのブロック図である。
【図３】図１のＰＯＳ端末の内部構成を説明するためのブロック図である。
【図４】図１の金券売買システムによる金券売買方法について説明するためのフローチャートである。
【符号の説明】
【００７６】
１００  金券売買管理側装置
１１０  管理端末
１２０  管理サーバ
１２１  インタフェース部
１２２  受付部（受付手段）
１２３  通知部（通知手段）
１２４  データ書込部（書込手段）
１２５  データ読込部（読込手段）
１２６  制御部
１２７  金券管理部
１２７ａ  販売情報管理部（販売情報管理手段）
１２７ｂ  買取情報管理部（買取情報管理手段）
１２７ｃ  在庫金券管理部（在庫金券管理手段）
１２７ｄ  偽造金券情報管理部（偽造金券情報管理手段）
１３０  金券データベース（データベース）
１４０  店舗側端末
１４１  ＰＯＳ端末
１４１ａ  読取駆動部
１４１ｂ  情報処理部
１４１ｃ  アクセス部（アクセス手段）
１４１ｄ  ＲＯＭ
１４１ｅ  ＲＡＭ（記憶手段）
１４１ｆ  スピーカ駆動部
１４１ｇ  表示駆動部
１４１ｈ  施錠／解錠駆動部（施錠／解錠駆動手段）
１４１ｊ  バス
１４２  表示部
１４３  読取装置
１４４  スピーカ
１４２  表示部
１５０  陳列棚
１５１  陳列棚用電動キー
１６０  インターネット（通信回線）
【図１】
2008003987.tif 000003
【図２】
2008003987.tif 000004
【図３】
2008003987.tif 000005
【図４】
2008003987.tif 000006